(57)【特許請求の範囲】
【請求項１】
プロジェクタおよびコンピュータから成る画像投影システムであって、
前記プロジェクタは、
スクリーン上に投影された投影画像を撮像する撮像部と、
設定画面を含むウェブページ情報を記憶するページ情報記憶部と、
前記設定画面に前記撮像部の撮像結果を反映した前記ウェブページ情報を、ネットワークを介して前記コンピュータに配信するページ情報配信部と、
前記コンピュータから送信された補正情報を取得する補正情報取得部と、
前記補正情報に基づいて、前記投影画像の形状を補正する画像補正部と、を備え、
前記コンピュータは、
前記プロジェクタから配信された前記ウェブページ情報に基づき、前記投影画像と略同一形状の画像イメージを前記設定画面上に表示する表示部と、
前記設定画面に表示された前記画像イメージを構成する各辺または各角に対するドラッグ操作を行うことにより、前記画像イメージの形状を変更する入力部と、
前記入力部による画像イメージの各角の座標変化量である前記補正情報を、前記ネットワークを介して前記プロジェクタに送信する補正情報送信部と、を備えたことを特徴とする画像投影システム。
【請求項２】
前記プロジェクタは、
前記撮像部および前記画像補正部を有し、前記スクリーン上に前記投影画像を投影するための画像投影部と、
前記ウェブページ情報を配信するためのウェブサーバ部と、を備え、
前記ウェブサーバ部は、
前記ページ情報記憶部、前記ページ情報配信部および前記補正情報取得部と、
取得した前記補正情報に基づいて、前記画像投影部を制御するための制御信号を生成する制御信号生成部と、
生成した前記制御信号を前記画像投影部に供給する制御信号供給部と、を有することを特徴とする請求項１に記載の画像投影システム。
【請求項３】
コンピュータを、請求項１または２に記載の画像投影システムにおける前記プロジェクタの各部または前記コンピュータの各部として機能させるためのプログラム。
【発明の詳細な説明】
【技術分野】
【０００１】
手動操作に基づく画像補正処理を実行可能な画像投影システムおよびプログラムに関するものである。
【背景技術】
【０００２】
従来、加速度センサ等を用いて、スクリーンに対するプロジェクタの仰角変化（俯角変化）を検出し、その検出結果に基づいてキーストーン歪補正（台形歪補正）を自動実行するプロジェクタが知られている（例えば、特許文献１）。一方、当該キーストーン歪補正を手動で行う方法としては、専用のＯＳＤ（On Screen Display）をスクリーン上に表示させ、装置本体に搭載された操作パネルやリモコンの上下左右キーを操作して歪補正する箇所や補正量を指定する方法が知られている。キーストーン歪補正の自動実行機能を搭載したプロジェクタでも、台形画像を完全な正長方形の画像に補正することは困難であるため、画像形状を微調整するための手動設定機能は不可欠である。
【特許文献１】特開２００１−３３９６７１号公報
【発明の開示】
【発明が解決しようとする課題】
【０００３】
ところが、手動でキーストーン歪補正を行う場合は、上記のように上下左右キーの操作によって台形形状を長方形に補正するため、どのキーを押せばどのように補正されるのかの関連性が発想しづらい。また、この種のプロジェクタは、各キーを押下した時間の長さに応じて補正量が変化するようになっているが、この関係も初心者にとっては分かりづらい。このように、キーストーン歪補正を手動で行う場合の従来の操作方法は、直感的な操作ができず、ユーザがストレスを感じることがあった。
【０００４】
本発明は、上記の問題点に鑑み、手動で投影画像の画像補正を行う場合の操作性を向上させ得る画像投影システムおよびプログラムを提供することを目的とする。
【課題を解決するための手段】
【０００５】
本発明の画像投影システムは、プロジェクタおよびコンピュータから成る画像投影システムであって、プロジェクタは、スクリーン上に投影された投影画像を撮像する撮像部と、設定画面を含むウェブページ情報を記憶するページ情報記憶部と、設定画面に撮像部の撮像結果を反映したウェブページ情報を、ネットワークを介してコンピュータに配信するページ情報配信部と、コンピュータから送信された補正情報を取得する補正情報取得部と、補正情報に基づいて、投影画像の形状を補正する画像補正部と、を備え、コンピュータは、プロジェクタから配信されたウェブページ情報に基づき、投影画像と略同一形状の画像イメージを設定画面上に表示する表示部と設定画面に表示された画像イメージを構成する各辺または各角に対するドラッグ操作を行うことにより、画像イメージの形状を変更する入力部と、入力部による画像イメージの各角の座標変化量である補正情報を、ネットワークを介してプロジェクタに送信する補正情報送信部と、を備えたことを特徴とする。
上記の画像投影システムにおいて、プロジェクタは、撮像部および画像補正部を有し、スクリーン上に投影画像を投影するための画像投影部と、ウェブページ情報を配信するためのウェブサーバ部と、を備え、ウェブサーバ部は、ページ情報記憶部、ページ情報配信部および補正情報取得部と、取得した補正情報に基づいて、画像投影部を制御するための制御信号を生成する制御信号生成部と、生成した制御信号を画像投影部に供給する制御信号供給部と、を有することを特徴とする。
本発明のプログラムは、コンピュータを、上記の画像投影システムにおけるプロジェクタまたはコンピュータの各部として機能させることを特徴とする。
なお、以下の構成としても良い。
本発明のプロジェクタは、ネットワークを介して接続可能なプロジェクタであって、スクリーン上に投影画像を投影するための画像投影部と、ウェブページ情報を配信するためのウェブサーバ部と、を備え、ウェブサーバ部は、投影画像の画像補正を行うための設定画面を含むウェブページ情報を記憶するページ情報記憶部と、ページ情報記憶部から読み出したウェブページ情報を、ネットワークを介して配信するページ情報配信部と、設定画面への入力結果である補正情報を、ネットワークを介して取得する補正情報取得部と、取得した補正情報に基づいて、画像投影部を制御するための制御信号を生成する制御信号生成部と、生成した制御信号を画像投影部に供給する制御信号供給部と、を有することを特徴とする。
【０００６】
本発明の画像投影システムは、スクリーン上に投影画像を投影するプロジェクタと、コンピュータと、がネットワーク接続された画像投影システムであって、プロジェクタは、コンピュータに、ネットワークを介して投影画像の画像補正を行うための設定画面を含むウェブページ情報を配信するページ情報配信部と、コンピュータから、ネットワークを介して設定画面への入力結果である補正情報を取得する補正情報取得部と、取得した補正情報に基づいて、投影画像の画像補正を行う画像補正部と、を備え、コンピュータは、ネットワークを介してプロジェクタからウェブページ情報を受信するページ情報受信部と、ウェブページ情報に基づいて、設定画面を表示する表示部と、設定画面に情報入力を行う入力部と、入力部による入力結果である補正情報を、ネットワークを介してプロジェクタに送信する補正情報送信部と、を備えたことを特徴とする。
【０００７】
これらのプロジェクタおよび画像投影システムは、プロジェクタとネットワーク接続された装置（コンピュータ）を操作する（コンピュータに表示された設定画面に情報入力を行う）ことによって投影画像の画像補正を行う構成であり、コンピュータに一般的に搭載されているキーボードやマウスといった入力装置を用いることができるため、操作パネルやリモコンを用いる場合と比較して、操作性が良い。また、プロジェクタはウェブサーバとして機能し、ウェブクライアントとして機能するコンピュータに対して、設定画面を含むウェブページ情報を配信することができるため、コンピュータに画像補正を行うためのアプリケーションを予めインストールしておくなどの煩わしさを解消することができると共に、コンピュータがインターネット接続不可能な状態であっても、支障なく操作を行うことができる。
【０００８】
上記に記載のプロジェクタにおいて、画像投影部は、ウェブサーバ部から供給された制御信号に基づいて、投影画像の画像補正を行う画像補正部を有し、画像補正部は、制御信号に基づく画像補正が実行不能である場合、補正不能信号をウェブサーバ部に出力し、ウェブサーバ部は、画像投影部から補正不能信号が入力された場合、ページ情報配信部により、その旨を示すエラー情報を、ネットワークを介して送信することが好ましい。
【０００９】
この構成によれば、画像投影部が、コンピュータによる設定画面への入力結果（補正情報）を受けてウェブサーバ部が生成した制御信号に基づき、画像補正が実行不能であると判定した場合、コンピュータに対しウェブサーバ部を介してエラー情報を送信するため、コンピュータを操作するユーザは、入力した内容に基づく画像補正が実行できないことを把握することができる。これにより、画像補正が実行されない（投影画像に反映されない）ことにより何度も情報入力を繰り返すなどの無駄な操作を無くすことができ、利便性が良い。
【００１０】
上記に記載のプロジェクタにおいて、画像投影部は、投影画像を撮像する撮像部をさらに有し、撮像部は、投影画像の撮像結果をウェブサーバ部に出力し、ウェブサーバ部は、画像投影部から撮像結果が入力された場合、ページ情報配信部により、撮像結果に基づいて設定画面に反映させるための更新情報を生成し、当該更新情報を、ネットワークを介して送信することが好ましい。
【００１１】
上記に記載のプロジェクタにおいて、画像補正部は、キーストーン歪補正を実行可能であり、更新情報は、撮像部により撮像した投影画像の形状を模した画像イメージを設定画面上に表示させるための情報であることが好ましい。
【００１２】
これらの構成によれば、ウェブサーバ部が、画像投影部により撮像された投影画像の撮像結果を取得して、設定画面に反映させるための更新情報を生成し、当該更新情報をコンピュータに送信するため、投影画像の撮像結果を、画像補正操作に生かすことができる。例えば、画像補正として、キーストーン歪補正を行う場合は、撮像した投影画像の形状を模した画像イメージを設定画面上に表示させるため、その形状を確認しながら（実際の投影画像を確認することなく）、キーストーン歪補正を行うことができる。このように、投影画像の撮像結果が設定画面に反映されることで、プロジェクタとコンピュータが位置的に離れている場合でも画像補正を行うことができると共に、画像補正操作の操作性をより向上させることができる。
なお、画像補正として、投影画像の一部または全体の拡大／縮小を行う場合は、更新情報として、撮像した投影画像の一部または全体の画像サイズに関する情報をコンピュータに送信し、スクリーン上における投影画像の位置変更を行う場合は、更新情報として、撮像した投影画像の位置に関する情報をコンピュータに送信するなど、他の画像補正機能においても、投影画像の撮像結果を設定画面に反映させることが好ましい。
【００１３】
上記に記載のプロジェクタにおいて、補正情報は、設定画面に表示された画像イメージの形状が、当該画像イメージを構成する各辺または各角に対するドラッグ操作によって変形されたことによる入力結果であることが好ましい。
【００１４】
この構成によれば、設定画面に表示されている画像イメージの各辺または各角に対するドラッグ操作によって、キーストーン歪補正を行うことができる。これにより、各辺・各角の移動、各辺の長さ変更および各角の角度変更を、直感的且つ容易に行うことができる。
【００１５】
本発明のプログラムは、コンピュータを、上記に記載の画像投影システムにおけるプロジェクタまたはコンピュータの各部として機能させるためのものであることを特徴とする。
【００１６】
このプログラムを用いることにより、手動で投影画像の画像補正を行う場合の操作性を向上させ得る画像投影システムを構築することができる。
【発明を実施するための最良の形態】
【００１７】
以下、添付した図面を参照して、本発明の一実施形態に係る画像投影システムおよびプログラムについて説明する。図１は、画像投影システムＳＹのシステム構成図である。同図に示すように、画像投影システムＳＹは、投射光を照射することによってスクリーンＳＣ上に投影画像Ｇを投影するプロジェクタ１０と、当該プロジェクタ１０とネットワーク回線ＮＷを介して接続されたコンピュータＰＣと、から成る。
【００１８】
プロジェクタ１０は、リモコン４０を用いた遠隔操作が可能であると共に、画像データ等を格納するためのメモリカード４１が搭載されている。リモコン４０には、上下左右キーや電源キーなどのキー群（図示省略）が設けられており、当該キー群を用いて各種画像補正機能を操作できるようになっている。特に、キーストーン歪補正を行う場合は、上下左右キーにより歪補正する箇所や補正量を指定可能である。また、プロジェクタ本体には、投影画像Ｇを撮像するためのＣＣＤカメラ４２が設けられており、当該ＣＣＤカメラ４２の光軸は、投射光学系３６０（図２参照）の光軸と略平行となるように設定されている。
【００１９】
一方、コンピュータＰＣは、一般的なパーソナルコンピュータを適用可能であり、装置本体５０と、ディスプレイ５１と、情報入力装置５２と、を備えている。装置本体５０の背面には、ネットワーク接続するためのネットワーク・インターフェース６９が設けられていると共に、装置本体内部には、制御部６０が組み込まれている。制御部６０は、ＣＰＵ（Central Processing Unit）６１、ＲＯＭ（Read Only Memory）６２、ＲＡＭ（Random Access Memory）６３およびＨＤＤ（Hard Disk Drive）６４を有している。また、情報入力装置５２としては、キーボード６６およびマウス６７が設けられている。
【００２０】
上記の構成により、プロジェクタ１０は、コンピュータＰＣに、投影画像Ｇの画像補正を行うための設定画面Ｄ（図５ないし図１０参照）を含むウェブページ情報を、ネットワーク回線ＮＷを介して配信する。コンピュータＰＣは、ディスプレイ５１上に設定画面Ｄを表示し、ユーザが情報入力装置５２を操作することによって入力した入力結果に基づく補正情報をプロジェクタ１０に送信する。プロジェクタ１０は、当該補正情報を受信して、投影画像Ｇの画像補正を行い、その補正結果（ＣＣＤカメラ４２による撮像結果など）に基づく更新情報をプロジェクタ１０に返信する。プロジェクタ１０は、必要に応じて、当該更新情報を設定画面Ｄに反映させる。
【００２１】
次に、図２を参照し、プロジェクタ１０の制御構成について説明する。プロジェクタ１０は、主としてウェブサーバとして機能するウェブサーバ部２０と、主として従来のプロジェクタ機能を果たす画像投影部３０と、から成る。
【００２２】
ウェブサーバ部２０は、ビュワーアプリケーションを始めとする種々のプログラムの演算処理を実行する第１ＣＰＵ２００と、第１ＣＰＵ２００が実行する各アプリケーションおよびプログラムを格納する第１ＲＯＭ２０２と、第１ＣＰＵ２００の演算結果およびデータを一時的に格納する第１ＲＡＭ２０４と、を有している。第１ＣＰＵ２００と第１ＲＯＭ２０２とは単方向または双方向通信可能に接続されており、第１ＣＰＵ２００と第１ＲＡＭ２０４とは双方向通信可能に接続されている。
【００２３】
第１ＲＯＭ２０２には、上記のビュワーアプリケーションの他、コンピュータＰＣにウェブページ情報を配信するためのウェブアプリケーションが含まれている。第１ＣＰＵ２００は、ウェブクライアントとして機能するコンピュータＰＣからのウェブページ情報配信指令に従って、第１ＲＯＭ２０２からウェブアプリケーションを読み出して起動し、コンピュータＰＣ（ウェブブラウザ）に対して、指定されたウェブページ情報を配信する。
【００２４】
ウェブサーバ部２０は、第１ＣＰＵ２００からの描画指令に基づいて画像データを生成するグラフィックスコントローラ２１０をさらに有している。グラフィックスコントローラ２１０は、第１ＣＰＵ２００と双方向通信可能に接続され、画像を生成するためのＬＳＩチップ２１１および生成した画像を記憶するためのビデオメモリ（ＶＲＡＭ）２１２を備えている。
【００２５】
ウェブサーバ部２０は、プロジェクタ１０と外部装置との間でコマンドやデータを送受信するためのインターフェースとして、ネットワーク・インターフェース・コントローラ２２０、Ｉ／Ｏポート２３０、ＰＣＭＣＩＡ・インターフェース・コントローラ２４０およびＵＳＢコントローラ２５０を有している。
【００２６】
ネットワーク・インターフェース・コントローラ２２０は、例えば、イーサネット（登録商標）規格に準拠したコントローラであり、ウェブサーバ部２０からネットワーク回線ＮＷへ送信するコマンドやデータをネットワーク通信のプロトコルに従って適切な形式に変換すると共に、ネットワーク回線ＮＷから受信した信号をウェブサーバ部２０での処理に適した形式に変換する。Ｉ／Ｏポート２３０は、一般的な入出力ポートであり、識別回路２３２を介して無線入力装置２３４と接続されていると共に、画像投影部３０の第２ＣＰＵ３００と接続されている。無線入力装置２３４は、リモコン４０などの無線装置から送信された入力データを受信するための入力装置であり、識別回路２３２は無線入力装置２３４が受信した入力データが自身（プロジェクタ１０）に向けて送信された入力データであるか否かを識別する。
【００２７】
ＰＣＭＣＩＡ・インターフェース・コントローラ２４０は、ＰＣＭＣＩＡ規格に従ってウェブサーバ部２０からメモリカード４１へデータを転送し、メモリカード４１からウェブサーバ部２０へデータを転送するコントローラである。メモリカード４１には、データ供給装置（コンピュータＰＣや、後述する外部入力装置４３など）から転送された画像データを格納する。ＵＳＢコントローラ２５０は、ＵＳＢ規格に従ってウェブサーバ部２０と外部入力装置４３との間でデータを転送するコントローラであり、例えば、ＵＳＢＨＵＢ２５２を介して外部入力装置４３と接続される。
【００２８】
ウェブサーバ部２０は、この他に絶対時間を供給するリアルタイムクロック２６０と、第１ＣＰＵ２００からの指令に基づいてサウンドデータを生成する音源２６２と、を有している。なお、ウェブサーバ部２０における第１ＣＰＵ２００と、各コントローラ２１０，２２０，２４０，２５０等は、データおよびコマンドを伝達するバスを介して相互に接続されている。
【００２９】
一方、画像投影部３０は、所定のプログラムを実行して画像投影部３０の各回路を制御する第２ＣＰＵ３００と、第２ＣＰＵ３００にて実行するプログラムを格納する第２ＲＯＭ３０２と、第２ＣＰＵ３００の演算結果およびデータを一時的に格納する第２ＲＡＭ３０４と、を有している。第２ＣＰＵ３００と第２ＲＯＭ３０２とは単方向または双方向通信可能に接続されており、第２ＣＰＵ３００と第２ＲＡＭ３０４とは双方向通信可能に接続されている。また、第２ＣＰＵ３００と第１ＣＰＵ２００とはＩ／Ｏポート２３０を介して双方向通信可能に接続されており、第１ＣＰＵ２００と第２ＣＰＵ３００との間でデータやコマンドの送受信が可能となっている。
【００３０】
画像投影部３０は、さらに、映像信号変換回路３１０、音声制御回路３２０、液晶（ＬＣＤ）駆動回路３３０、光源駆動回路３４０、冷却ファン制御回路３５０、投射光学系３６０およびＣＣＤ制御回路３７０を有している。
【００３１】
映像信号変換回路３１０は、アナログ−ディジタル変換機能、デコード機能、同期信号分離機能および画像処理機能（キーストーン歪補正処理等の画像補正機能）を実現する。具体的には、外部映像信号入力端子３１２から入力されたアナログ映像信号をディジタル画像データに変換し、変換したディジタル画像データを同期信号に同期して映像信号変換回路３１０内のフレームメモリ（図示省略）に書き込むと共に、フレームメモリに書き込まれたディジタル画像データをフレームメモリから読み出す。アナログ映像信号としては、例えば、コンピュータＰＣ等から出力されたＲＧＢ信号、不図示のビデオテープレコーダ等から出力されたコンポジット映像信号が入力される。アナログ映像信号がコンポジット映像信号の場合には、映像信号変換回路３１０は、コンポジット映像信号を復調すると共にＲＧＢの３色の色信号で構成されるコンポーネント映像信号および同期信号に分離し、コンポーネント映像信号をディジタル画像データに変換する。アナログ映像信号がＲＧＢ信号の場合には、元々コンポーネント映像信号として入力されると共に同期信号も分離して入力されるので分離処理は不要であり、映像信号変換回路３１０は、コンポーネント映像信号をディジタル画像データに変換する。また、映像信号変換回路３１０には、ウェブサーバ部２０のグラフィックスコントローラ２１０から送信されたディジタル映像信号も入力される。かかる場合には、元々ディジタル映像信号として入力されると共に同期信号が分離して供給されるのでアナログ−ディジタル変換処理および分離処理は不要である。
【００３２】
音声制御回路３２０は、外部音声信号入力端子３２２、スピーカ３２４、第２ＣＰＵ３００およびウェブサーバ部２０の音源２６２と接続されている。音声制御回路３２０は、第２ＣＰＵ３００からの指令に従い、外部音声信号入力端子３２２または音源２６２から伝送された音声信号またはサウンドデータに基づいて生成した駆動信号によってスピーカ３２４を駆動する。
【００３３】
ＬＣＤ駆動回路３３０は、映像信号変換回路３１０によって処理された画像データを受け取り、受け取った画像データに応じてＬＣＤ３３２を駆動して光源３４２から照射された照明光を変調する。ＬＣＤ３３２によって変調された照明光はレンズを含む投射光学系３６０を介して被投射面であるスクリーンＳＣ上に投射される。光源駆動回路３４０は、第２ＣＰＵ３００からの指令に従って光源３４２のＯＮ／ＯＦＦを制御する。光源３４２の背面には光源３４２に対して冷却風を送るための冷却ファン３５２が配置されている。冷却ファン３５２には冷却ファン制御回路３５０が接続されており、冷却ファン制御回路３５０は、第２ＣＰＵ３００からの指令に従って冷却ファン３５２の回転速度等を制御する。
【００３４】
ＣＣＤ制御回路３７０は、撮像カメラであるＣＣＤカメラ４２の撮像画像を生成して出力する。当該撮像画像は、第２ＣＰＵ３００により、Ｉ／Ｏポート２３０を介してウェブサーバ部２０（第１ＣＰＵ２００）に出力され、ウェブサーバ部２０からコンピュータＰＣに、ウェブページ情報の一部（更新情報）として送信される。なお、撮像カメラは、ＣＣＤカメラ４２ではなく、他の撮像デバイスを用いても良い。
【００３５】
また、ＣＣＤ制御回路３７０により生成された撮像画像は、キーストーン歪補正処理を自動実行する際にも用いられる。例えば、プロジェクタ１０があおり投射を行なう場合、ＬＣＤ３３２に歪のない画像が形成されると、スクリーンＳＣ上の投影画像Ｇが略台形状に歪んでしまう。そこで、略台形状に歪んだ撮像画像を生成した場合、ＬＣＤ３３２に略台形状に歪んだ画像（スクリーンＳＣ上に投影される投影画像Ｇの逆画像）を形成すれば、スクリーンＳＣ上に歪のない画像（正しいアスペクト比を有する長方形画像）を投影させることができる。すなわち、上記の映像信号変換回路３１０は、画像処理機能の一つとして、この補正済みの画像データを生成する処理（自動キーストーン歪補正処理）を行う。なお、映像信号変換回路３１０は、ＣＣＤカメラ４２の撮像結果だけでなく、加速度センサによるプロジェクタ１０の仰角変化を検出し、当該検出結果に基づいてキーストーン歪補正処理を自動実行するようにしても良い。また、映像信号変換回路３１０は、上記の通り、コンピュータＰＣによる設定画面Ｄへの情報入力やリモコン４０の手動操作に基づくキーストーン歪補正処理も実行可能である。
【００３６】
図２に示した構成から理解できるように、本実施形態のプロジェクタ１０は、ウェブサーバ部２０が存在しない（装着されていない）状態においても、外部から供給された映像信号に応じて投影画像Ｇを投影可能である。つまり、ウェブサーバ部２０は、プロジェクタ１０に任意に着脱できるように構成されている。この場合、ウェブサーバ部２０は、１枚のプリント基板上に実装された形態を有することが好ましい。このように、ウェブサーバ部２０をプロジェクタ１０に着脱可能とすることで、ウェブサーバ部２０の機能を有するプロジェクタと、ウェブサーバ部２０の機能を有さないプロジェクタとで大部分を共通化することができ、装置の低廉化を図ることができる。
【００３７】
ここで、上記構成を有するプロジェクタ１０の基本的な動作について説明する。ネットワーク回線ＮＷを介してプロジェクタ１０に入力された信号は、ウェブサーバ部２０のネットワーク・インターフェース・コントローラ２２０によってウェブサーバ部２０に適した形式に変換され、第１ＣＰＵ２００へデータおよびコマンドとして転送される。第１ＣＰＵ２００は、転送されたデータを第１ＲＡＭ２０４に一時的に格納し、転送されたコマンドがウェブサーバ部２０に対するコマンドであるか画像投影部３０に対するコマンドであるかを判別する。転送されたコマンドが画像投影部３０に対するコマンドの場合には、第１ＣＰＵ２００はＩ／Ｏポート２３０を介して画像投影部３０の第２ＣＰＵ３００に対してコマンドを転送する。
【００３８】
一方、転送されたコマンドがウェブサーバ部２０に対するコマンド（ウェブページ情報を指定するコマンドなど）の場合には、第１ＣＰＵ２００は、転送されたコマンドに基づいた演算処理を実行する。第１ＣＰＵ２００は、例えば、データの再生要求（投射表示要求）がリモコン４０等により入力された場合には、メモリカード４１または第１ＲＡＭ２０４に格納されたデータを読み出す（再生する）ために、適切なビュワーアプリケーションを第１ＲＯＭ２０２から読み出して起動し、格納されているデータのユーザインターフェースデータを生成して描画コマンドと共に、グラフィックスコントローラ２１０に対して転送する。
【００３９】
グラフィックスコントローラ２１０は、受信した描画コマンドに従いユーザインターフェースデータ、あるいは、表示画面データに基づいて表示すべきユーザインターフェース画像データ（以下、単に「画像データ」と称する）を生成し、グラフィックスコントローラ２１０内のＶＲＡＭ２１２中に格納する。また、グラフィックスコントローラ２１０は、第１ＣＰＵ２００からの指令に従って、所定のタイミングにてグラフィックスコントローラ２１０のＶＲＡＭ２１２に格納されている画像データを読み出し、画像投影部３０の映像信号変換回路３１０に転送する。第１ＣＰＵ２００は、ＵＳＢＨＵＢ２５２およびＵＳＢコントローラ２５０を介して外部入力装置４３からコマンドまたはデータを受け取る。第１ＣＰＵ２００は、外部入力装置４３またはネットワーク回線ＮＷを介して受信したコマンドに従って、第１ＲＡＭ２０４内に格納されているデータ、または、ＰＣＭＣＩＡ・インターフェース・コントローラ２４０を介してグラフィックスコントローラ２１０のＶＲＡＭ２１２中に格納されている画像データをメモリカード４１に格納する。
【００４０】
映像信号変換回路３１０は、グラフィックスコントローラ２１０から画像データを受け取ると、既述の処理を実行してＬＣＤ駆動回路３３０に処理済みの画像データを転送する。ＬＣＤ駆動回路３３０は、受け取った画像データに応じてＬＣＤ３３２を駆動制御して所望の画像データをスクリーンＳＣ上に投射させる。
【００４１】
第２ＣＰＵ３００は、例えば、ネットワーク回線ＮＷからＩ／Ｏポート２３０を介して転送されたコマンドが光源３４２のオンを指示する場合には、光源駆動回路３４０を介して光源３４２をオンする。第２ＣＰＵ３００は、冷却ファン制御回路３５０を介して光源３４２の温度に応じて冷却ファン３５２の作動状態（回転速度、回転タイミング等）を制御する。また、プロジェクタ１０からネットワーク回線ＮＷへのデータ送信は、第１ＣＰＵ２００の指令に従ってネットワーク・インターフェース・コントローラ２２０を介して実行される。
【００４２】
次に、図３を参照し、プロジェクタ１０およびコンピュータＰＣの機能構成について説明する。プロジェクタ１０のウェブサーバ部２０は、主な機能構成として、ページ情報記憶部１２１、ページ情報配信部１２２、補正情報取得部１２３、制御信号生成部１２４および制御信号供給部１２５を備えている。また、プロジェクタ１０の画像投影部３０は、主な機能構成として、撮像部１２６および画像補正部１２７を備えている。
【００４３】
ページ情報記憶部１２１は、ネットワーク回線ＮＷを介してコンピュータＰＣに配信するためのウェブページ情報を記憶するものであり、第１ＲＯＭ２０２を主要構成要素とする。当該ウェブページ情報には、投影画像Ｇの画像補正を行うための設定画面Ｄの他、設定画面ＤにＣＣＤカメラ４２の撮像結果を表示したりエラー表示したりするための更新情報が含まれる。
【００４４】
ページ情報配信部１２２は、コンピュータＰＣに、ネットワーク回線ＮＷを介してページ情報記憶部１２１から読み出したウェブページ情報を配信するものであり、第１ＣＰＵ２００およびネットワーク・インターフェース・コントローラ２２０を主要構成要素とする。ページ情報配信部１２２は、画像投影部３０からＣＣＤカメラ４２の撮像結果（撮像画像）が入力された場合、当該撮像結果を設定画面Ｄに反映させるための更新情報を生成すると共に、画像投影部３０から画像補正を実行できない旨の補正不能信号が入力された場合、その旨を示すエラー情報を生成し、これらを前記ウェブページ情報の一部として、コンピュータＰＣに送信する。
【００４５】
補正情報取得部１２３は、コンピュータＰＣから、設定画面Ｄへの入力結果である補正情報を取得するものであり、ネットワーク・インターフェース・コントローラ２２０を主要構成要素とする。
【００４６】
制御信号生成部１２４は、補正情報取得部１２３により取得した補正情報に基づいて、画像投影部３０を制御するための制御信号を生成するものであり、第１ＣＰＵ２００およびグラフィックスコントローラ２１０を主要構成要素とする。制御信号生成部１２４は、補正情報を画像投影部３０が解析可能なデータ列に変換するコマンド変換部と、必要に応じて補正値（補正量）を算出する補正値演算部と、を含むものである。
【００４７】
制御信号供給部１２５は、制御信号生成部１２４が生成した制御信号を画像投影部３０の第２ＣＰＵ３００に供給するものであり、第１ＣＰＵ２００およびＩ／Ｏポート２３０を主要構成要素とする。
【００４８】
撮像部１２６は、スクリーンＳＣ上に投影された投影画像Ｇを撮像すると共にその撮像結果をウェブサーバ部２０に出力するものであり、第２ＣＰＵ３００、ＣＣＤカメラ４２およびＣＣＤ制御回路３７０を主要構成要素とする。
【００４９】
画像補正部１２７は、ウェブサーバ部２０から供給された制御信号に基づいて、投影画像Ｇの画像補正を行うものであり、第２ＣＰＵ３００および映像信号変換回路３１０を主要構成要素とする。画像補正部１２７は、供給された制御信号に基づく画像補正が実行不能である場合、補正不能信号をウェブサーバ部２０に出力する。例えば、キーストーン歪補正において、上下方向にプラスマイナス２０°、左右方向にプラスマイナス２０°の制限がある場合、これらを超えた歪補正を指示する制御信号がウェブサーバ部２０から供給されると、これに対して補正不能信号を出力する。
【００５０】
一方、コンピュータＰＣは、主な機能構成として、ページ情報受信部７１、表示部７２、入力部７３および補正情報送信部７４を備えている。
【００５１】
ページ情報受信部７１は、プロジェクタ１０からウェブページ情報（更新情報を含む）を受信するものであり、ネットワーク・インターフェース６９（図１参照）を主要構成要素とする。
【００５２】
表示部７２は、ページ情報受信部７１により受信したウェブページ情報に基づいて、設定画面Ｄを表示（更新）するものであり、制御部６０およびディスプレイ５１を主要構成要素とする。
【００５３】
入力部７３は、設定画面Ｄに情報入力を行うものであり、情報入力装置５２を主要構成要素とする。前記補正情報は、当該入力部７３の入力結果である。例えば、プロジェクタ１０にキーストーン歪補正（手動）を実行させる場合、入力部７３は、投影画像Ｇを模した画像イメージＧＡ（図８参照）を構成する各辺または各角に対するドラッグ操作によって、画像イメージＧＡの形状を変形させることにより、投影画像Ｇのキーストーン歪補正操作を行う。
【００５４】
補正情報送信部７４は、入力部７３の入力結果である補正情報を、プロジェクタ１０に送信するものであり、制御部６０およびネットワーク・インターフェース６９を主要構成要素とする。なお、補正情報の送信は、表示部７２に設定画面Ｄが表示されている間、定期的に行っても良いし、入力部７３による所定情報の入力をトリガとして行っても良い。また、画像補正の補正量が所定量を超えた場合に、当該所定量に対応する補正情報を随時送信するようにしても良い。
【００５５】
次に、図４のフローチャートを参照し、コンピュータＰＣを用いたキーストーン歪補正操作について説明する。当該キーストーン歪補正操作は、ユーザ操作に基づいてプロジェクタ１０に実行させる、所謂「手動」のものであり、プロジェクタ１０が「自動」で実行するキーストーン歪補正処理（ＣＣＤカメラ４２の撮像結果やプロジェクタ１０の仰角変化の検出結果等に基づいて自動的に実行するキーストーン歪補正処理）とは異なる。なお、図中、破線枠はユーザ操作に基づく工程を指し、実線枠はコンピュータ動作に基づく工程を指す。
【００５６】
まず、ユーザが、ウェブサーバ部２０に対応するＵＲＬ（Uniform Resource Locator）をコンピュータＰＣに入力すると（Ｓ０１）、コンピュータＰＣは、対応するウェブページ情報をウェブサーバ部２０から取得し（Ｓ０２）、ホームページ（メインメニュー）画面Ｄ１を表示する（Ｓ０３，図５参照）。ユーザが、当該ホームページ画面Ｄ１上に表示された複数の選択アイコンの中から「プロジェクタ設定」アイコンＩＡを選択すると（Ｓ０４）、コンピュータＰＣは、プロジェクタ設定メニュー画面Ｄ２を表示する（Ｓ０５，図６参照）。なお、ユーザによるアイコンの選択によって、各アイコンに割り当てられたＵＲＬを指定し、ウェブサーバ部２０から対応するウェブページ情報を取得することとなるが、以下、選択項目の選択からウェブページ情報取得までの処理についての言及を省略する。
【００５７】
続いて、ユーザが、当該プロジェクタ設定メニュー画面Ｄ２に表示された複数の選択ボタンの中から「高度設定」ボタンＢ３を選択すると（Ｓ０６）、コンピュータＰＣは、高度設定メニュー画面Ｄ３を表示する（Ｓ０７，図７参照）。さらに、ユーザが、当該高度設定メニュー画面Ｄ３に表示された複数の選択ボタンの中から「キーストーン歪補正」ボタンＢ３１を選択すると（Ｓ０８）、コンピュータＰＣは、キーストーン歪補正設定画面Ｄ４を表示する（Ｓ０９，図８参照）。
【００５８】
ここで、ユーザが、キーストーン歪補正設定画面Ｄ４上の「撮像結果反映」ボタンＢＡを押下すると（Ｓ１０）、コンピュータＰＣは、プロジェクタ１０（ウェブサーバ部２０）から投影画像Ｇの撮像結果に基づく更新情報を取得し（Ｓ１１）、キーストーン歪補正設定画面Ｄ４上に投影画像Ｇを模した画像イメージＧＡを表示する（Ｓ１２，図９参照）。ここで、ユーザが、画像イメージＧＡに対する形状変更操作を行った場合（Ｓ１３：Ｙｅｓ）、コンピュータＰＣは、プロジェクタ１０（ウェブサーバ部２０）に対し、当該形状変更操作に基づく補正情報を送信する（Ｓ１４）。ここでは、画像イメージＧＡの補正量が所定量を超えた場合に、形状変更操作があったものと判定する。また、ユーザが、キーストーン歪補正設定画面Ｄ４上の「終了」ボタンＢＥを押下すると（Ｓ１５：Ｙｅｓ）、キーストーン歪補正操作を終了する。
【００５９】
次に、図５ないし図１０を参照し、コンピュータＰＣのディスプレイ５１に表示される設定画面Ｄの具体例について説明する。図５は、ホームページ（メインメニュー）画面Ｄ１の一例を示す図である。同図に示すように、ホームページ画面Ｄ１では、選択項目として、「プロジェクタ設定」アイコンＩＡ、「ファイルユーティリティ」アイコンＩＢ、「マーカ起動」アイコンＩＣおよび「シナリオ再生起動」アイコンＩＤを表示する。つまり、コンピュータＰＣは、各アイコンの選択によって、各機能（プロジェクタ設定、ファイルユーティリティの設定、マーカ設定およびシナリオ再生）を実現可能であるが、ここでは「プロジェクタ設定」以外の機能についての詳細な説明を省略する。
【００６０】
図６は、図５に示したホームページ画面Ｄ１において、「プロジェクタ設定」アイコンＩＡが選択された場合に遷移するプロジェクタ設定メニュー画面Ｄ２の一例を示す図である。プロジェクタ設定メニュー画面Ｄ２では、選択項目として、「映像」ボタンＢ１、「音声」ボタンＢ２、「高度設定」ボタンＢ３、「情報」ボタンＢ４および「全初期化」ボタンＢ５を表示する。ここでは、「高度設定」ボタンＢ３が選択され、高度設定メニュー画面Ｄ３（図７参照）に遷移するものとする。
【００６１】
なお、特に図示しないが、プロジェクタ設定メニュー画面Ｄ２において、「映像」ボタンＢ１が選択された場合は、映像設定画面を表示し、「輝度（明るさ）」、「コントラスト」、「シャープネス」、「ガンマ補正」、「画質」、「各色の濃度」および「アスペクト比」等についての設定が可能となっている。また、「音声」ボタンＢ２が選択された場合は、音声設定画面を表示し、「音量」、「高音の強さ」、「低音の強さ」等についての設定が可能となっている。また、「情報」ボタンＢ４が選択された場合は、情報設定画面を表示し、「ランプ点灯時間」、「映像の種類」、「解像度」等についての設定が可能となっている。さらに、「全初期化」ボタンＢ５が選択された場合は、プロジェクタ１０の動作状態を初期状態とするための初期化設定画面を表示する。なお、これらの設定内容は、補正情報としてウェブサーバ部２０に送信され、画像投影部３０の制御に反映される。
【００６２】
図７は、高度設定メニュー画面Ｄ３の一例を示す図である。高度設定メニュー画面Ｄ３では、選択項目として、「キーストーン歪補正」ボタンＢ３１、「テレワイド」ボタンＢ３２、「レンズシフト」ボタンＢ３３および「Ｅ−Ｚｏｏｍ」ボタンＢ３４を表示する。ここでは、「キーストーン歪補正」ボタンＢ３１が選択され、キーストーン歪補正設定画面Ｄ４（図８参照）に遷移するものとする。
【００６３】
なお、特に図示しないが、高度設定メニュー画面Ｄ３において、「テレワイド」ボタンＢ３２が選択された場合は、テレワイド設定画面を表示し、投影画像Ｇの全体を拡大／縮小する操作を実行可能である。また、「Ｅ−Ｚｏｏｍ」ボタンＢ３４が選択された場合は、Ｅ−Ｚｏｏｍ設定画面を表示し、投影画像Ｇの一部を拡大／縮小する操作を実行可能である。これら「テレワイド」ボタンＢ３２または「Ｅ−Ｚｏｏｍ」ボタンＢ３４が選択された場合は、補正情報および更新情報として、投影画像Ｇの一部または全体の画像サイズに関する情報を、コンピュータＰＣとプロジェクタ１０間で送受信する。さらに、高度設定メニュー画面Ｄ３において、「レンズシフト」ボタンＢ３３が選択された場合は、レンズシフト設定画面を表示し、投影画像Ｇの位置を移動する操作を実行可能である。この場合は、補正情報および更新情報として、投影画像Ｇの位置に関する情報を、コンピュータＰＣとプロジェクタ１０間で送受信する。
【００６４】
なお、高度設定メニュー画面Ｄ３における選択項目として、「設置環境設定（天吊りか否か、リア投写か否か）」、「言語設定」、「動作設定」、「ネットワーク設定」等を追加しても良い。
【００６５】
図８は、キーストーン歪補正設定画面Ｄ４の一例を示す図である。キーストーン歪補正設定画面Ｄ４では、上段に「撮像結果反映」ボタンＢＡと、「終了」ボタンＢＥと、を表示すると共に、下段にＣＣＤカメラ４２の撮像結果を表示するための撮像結果表示領域８０を表示する。撮像結果表示領域８０には、投影画像Ｇの形状を模した画像イメージＧＡを表示する。図８に示す例では、「撮像結果反映」ボタンＢＡが押下される前の状態であるため、デフォルト設定された長方形の画像イメージＧＡを表示する。
【００６６】
画像イメージＧＡは、左辺ＬＬ、下辺ＬＤ、右辺ＬＲおよび上辺ＬＵの４辺で、その枠が構成され、４つの角部には、二重丸の頂点マーク（ハンドルマーク）８１，８２，８３，８４が表示されている。詳細については後述するが、各辺または各角に対してドラッグ操作を行うことにより、画像イメージＧＡの形状を変更でき、その形状変化に基づく補正情報がプロジェクタ１０に送信される。
【００６７】
なお、上記の通り、図８は、「撮像結果反映」ボタンＢＡが押下される前の状態を示しているため、実際にスクリーンＳＣに表示されている投影画像Ｇの形状と、撮像結果表示領域８０に表示されている画像イメージＧＡの形状とが一致していないが、例えば画像イメージＧＡ左上角部の頂点マーク８１が外側（斜め４５°上方向）にドラッグされた場合、その補正情報に基づいて、投影画像Ｇの左上角部が外側（斜め４５°上方向）に向かって移動することとなる（画像投影部３０により、そのような画像補正が行われる）。
【００６８】
一方、図９は、「撮像結果反映」ボタンＢＡが押下され、投影画像Ｇの撮像結果に基づく更新情報を撮像結果表示領域８０に反映させた場合を示している。この場合の画像イメージＧＡは、ユーザがスクリーンＳＣ上の投影画像Ｇを視認したものと略同一の形状となるように画像処理される。つまり、長方形の投影画像ＧがスクリーンＳＣ上に投影されている場合でも、その投影画像Ｇを撮像した撮像画像は、長方形とはならず、わずかに台形状に歪んでしまう。これは、ＣＣＤカメラ４２のレンズの光軸と、投射光学系３６０（図２参照）の光軸とが、ほぼ平行となるように設定されているものの、厳密には平行となっていないためである。したがって、ユーザが違和感なく画像イメージＧＡの形状変更操作を行い得るように（画像イメージＧＡの形状と投影画像Ｇの形状とが略同一となるように）、ＣＣＤ制御回路３７０により生成された撮像画像に対して座標変換や射影変換を行った後、画像イメージＧＡを表示する。なお、座標変換および射影変換は、プロジェクタ１０側で行っても良いし、コンピュータＰＣ側で行っても良い。
【００６９】
ここで、図１１および図１２を参照し、画像イメージＧＡの形状変更操作について説明する。図１１（ａ）に示すように、マウス６７の操作によってカーソル（矢印）Ｋを右下角部の頂点マーク８３に合わせ、図示点線矢印の方向にドラッグすると、ドラッグ終了位置に頂点マーク８３を移動させることができる（頂点マーク８３ａ参照）。また、これに伴い、下辺ＬＤおよび右辺ＬＲの配置角度および長さが変更される（下辺ＬＤａおよび右辺ＬＲａ参照）。このように、直感的且つ容易な操作により、台形状を長方形に補正するキーストーン歪補正を実現できる。
【００７０】
また、頂点マーク８１，８２，８３，８４を操作するのではなく、各辺ＬＵ，ＬＤ，ＬＲ，ＬＵを操作しても良い。図１１（ｂ）に示すように、カーソルＫを下辺ＬＤの右寄りの位置に合わせ、図示点線矢印の方向（下辺ＬＤに対して直角且つ画像イメージＧＡの外側）にドラッグすると、頂点マーク８２を左端とし、当該頂点マーク８２とドラッグ終了位置とを結ぶ線と右辺ＬＲの延長線との交点を右端とする下辺ＬＤａに変更させることができる。また、これに伴い、頂点マーク８３の位置および右辺ＬＲの長さが変更される（頂点マーク８３ａ，右辺ＬＲａ参照）。なお、図１１に示した画像イメージＧＡの形状変更操作を行う場合であって、各辺ＬＵ，ＬＤ，ＬＲ，ＬＵを操作する場合は、投影画像Ｇのキーストーン歪補正を行うために（画像イメージＧＡを長方形とするために）、下辺ＬＤと右辺ＬＲの２辺の操作が必要となる。
【００７１】
一方、図１２（ａ）に示すように、カーソルＫを下辺ＬＤの左寄りの位置に合わせ、図示点線矢印の方向（下辺ＬＤに対して直角且つ画像イメージＧＡの外側）にドラッグすると、頂点マーク８３を右端とし、当該頂点マーク８３とドラッグ終了位置とを結ぶ線と左辺ＬＬの延長線との交点を右端とする下辺ＬＤａに変更させることができる。また、これに伴い、頂点マーク８２の位置および左辺ＬＬの長さが変更される（頂点マーク８２ａ，左辺ＬＬａ参照）。
【００７２】
さらに、図１２（ｂ）に示すように、カーソルＫを下辺ＬＤの中央付近の位置に合わせ、図示点線矢印の方向（下辺ＬＤに対して直角且つ画像イメージＧＡの外側）にドラッグすると、ドラッグ終了位置まで下辺ＬＤを平行移動させることができる。また、これに伴い、頂点マーク８２および頂点マーク８３の位置、並びに左辺ＬＬおよび右辺ＬＲの長さが変更される（頂点マーク８２ａ，頂点マーク８３ａ，左辺ＬＬａ，右辺ＬＲａ参照）。
【００７３】
このように、カーソルＫを合わせる辺と、ドラッグさせる方向と、に応じて、当該辺の配置位置や長さを変更することができる。また、カーソルＫを辺に合わせる位置（右寄り、左寄り、中央付近）に応じて、変更対象となる辺を指定することができる。
【００７４】
なお、図１１および図１２では、下辺ＬＤに合わせたカーソルＫを直角方向に移動させる場合のみ示したが、他の辺を操作しても良いし、ドラッグ方向も任意である。ドラッグ方向については、頂点マーク８１，８２，８３，８４と同様に、角度に応じて辺の配置位置および長さが変更できるようにしても良いし、画像イメージＧＡの内側に向かってドラッグされたか外側に向かってドラッグされたかのみを判別し、外側に向かってドラッグされた場合は、移動角度に関わらず（辺に対して直角方向に移動されない場合でも）、図１１（ｂ）ないし図１２（ｂ）の結果となるように、ドラッグ方向（角度）を無視するようにしても良い。
【００７５】
このように、本実施形態では、各辺または各角に対するドラッグ操作によって、画像イメージＧＡの形状を変更でき、その操作結果を補正情報として、プロジェクタ１０に送信する。プロジェクタ１０は、ウェブサーバ部２０で補正情報を受信し、これを画像投影部３０が解析可能な制御信号に変換して画像投影部３０に供給する。ここで、画像投影部３０が、制御信号に基づく画像補正が実行不能であると判定すると、画像投影部３０は、補正不能信号をウェブサーバ部２０に出力し、ウェブサーバ部２０は、その旨を示すエラー情報をコンピュータＰＣに送信する。
【００７６】
ここで、図１０を参照し、エラー情報に基づく表示について説明する。同図に示すように、ウェブサーバ部２０からエラー情報が送信されると、コンピュータＰＣは、指令した画像補正に対してこれ以上の調整が不可能である旨を示すエラー表示ボックスＢＯを、設定画面Ｄ上の撮像結果表示領域８０に重畳して表示する。
【００７７】
エラー表示ボックスＢＯには、「元に戻す」ボタン９１と、「確認」ボタン９２と、が設けられており、「元に戻す」ボタン９１が押下された場合は、画像イメージＧＡの形状を変更する前の状態に戻す。つまり、例えば図１１（ａ）に示したように、カーソルＫを点線矢印に沿ってドラッグする操作（カーソルＫを頂点マーク８３から頂点マーク８３ａに移動させる操作）が行われ、当該操作に対するエラー情報がウェブサーバ部２０から送信された場合、画像イメージＧＡの表示を、カーソルＫが頂点マーク８３に位置する状態（図１１（ａ）の実線で示す状態）に戻す。一方、「確認」ボタン９２が押下された場合は、エラー表示される直前の状態を表示する。つまり、図１１（ａ）に示した例の場合、カーソルＫが頂点マーク８３ａに位置している状態を表示する。但し、この場合の補正操作は無効（投影画像Ｇに反映されない）ため、画像イメージＧＡを点滅表示するなどして、ユーザに報知することが好ましい。
【００７８】
このように、エラー表示ボックスＢＯを表示することにより、コンピュータＰＣを操作するユーザは、入力した内容に基づく画像補正が実行できないことを把握することができる。これにより、画像補正が実行されない（投影画像Ｇに反映されない）ことにより何度も情報入力を繰り返すなどの無駄な操作を無くすことができ、利便性が良い。なお、キーストーン歪補正設定画面Ｄ４において、ユーザにより「終了」ボタンＢＥが押下された場合は、図７に示した高度設定メニュー画面Ｄ３に遷移する。
【００７９】
以上説明したとおり、本実施形態の画像投影システムＳＹは、コンピュータＰＣに表示された設定画面Ｄに情報入力を行うことによって、プロジェクタ１０が投影する投影画像Ｇの画像補正を行う構成であるため、リモコン４０等を用いる場合と比較して、操作性が良い。また、プロジェクタ１０はウェブサーバとして機能し、ウェブクライアントとして機能するコンピュータＰＣに対して、設定画面Ｄを表示させるためのウェブページ情報を配信するため、コンピュータＰＣに画像補正を行うためのアプリケーションを予めインストールしておくなどの煩わしさを解消することができると共に、コンピュータＰＣがインターネット接続不可能な状態であっても、支障なく操作を行うことができる。
【００８０】
また、投影画像Ｇの撮像結果を設定画面Ｄに反映できるため、プロジェクタ１０とコンピュータＰＣが位置的に離れている場合でも（実際の投影画像Ｇを確認できない状態でも）支障なくコンピュータＰＣ側で画像補正を行うことができると共に、画像補正操作の操作性をより向上できる。特に、キーストーン歪補正を行う場合、上下左右の矢印キーの操作では、どのキー操作によってどのように投影画像Ｇの形状が変化するかが分かりづらいが、実際に表示されている投影画像Ｇの形状を模した画像イメージＧＡが設定画面Ｄ上に表示されるため、直感的且つ容易に操作可能である。
【００８１】
なお、上記の実施形態で示した各画像補正機能（キーストーン歪補正、テレワイド、レンズシフト、Ｅ−Ｚｏｏｍなど）の設定を行う場合、補正情報としては、投影画像Ｇの補正値そのものを送信しても良いし、設定画面Ｄ上における情報入力によって変化する変化量を送信して、ウェブサーバ部２０で補正値に変換して制御信号を生成しても良い。つまり、キーストーン歪補正の場合は、補正情報として、補正値（上方向にＸ°、右方向にＹ°など）を送信しても良いし、変化量（４つの角部の座標変化）を送信しても良い。但し、補正情報として補正値そのものを送信する場合は、投影画像Ｇの撮像結果を画像イメージＧＡに反映させること（「撮像結果反映」ボタンＢＡの押下）が条件となる。
【００８２】
また、上記の実施形態に示した設定画面Ｄの画面構成、選択項目、画面遷移の仕方、並びに画像補正方法は一例であり、これに限定されるものではない。例えば、キーストーン歪補正設定画面Ｄ４に遷移した直後に（「撮像結果反映」ボタンＢＡの押下を必要とすることなく）、撮像結果表示領域８０に撮像画像を反映させるようにしても良いし、各辺または各角に対するドラッグ操作ではなく、画像イメージＧＡ上に所望の画像を直接描画し、補正情報として４つの頂点の座標ずれ量をプロジェクタ１０に送信するようにしても良い。
【００８３】
また、上記の実施形態に示したプロジェクタ１０およびコンピュータＰＣの各構成要素をプログラムとして提供することが可能である。また、そのプログラムを各種記録媒体（ＣＤ−ＲＯＭ、フラッシュメモリ等）に格納して提供することも可能である。すなわち、コンピュータを、プロジェクタ１０およびコンピュータＰＣの各手段として機能させるためのプログラム、およびそれを記録した記録媒体も、本発明の権利範囲に含まれる。
【００８４】
また、上記の実施形態のプロジェクタ１０は、液晶表示方式を採用しているが、ＣＲＴ表示方式やライトスイッチ表示方式（マイクロミラーデバイス方式）など、表示原理は問わない。その他、本発明の要旨を逸脱しない範囲で、適宜変更が可能である。
【図面の簡単な説明】
【００８５】
【図１】本発明の一実施形態に係る画像投影システムのシステム構成図である。
【図２】プロジェクタの制御ブロック図である。
【図３】プロジェクタおよびコンピュータの機能ブロック図である。
【図４】コンピュータを用いたキーストーン歪補正操作を示すフローチャートである。
【図５】設定画面の一例（ホームページ）を示す図である。
【図６】設定画面の一例（プロジェクタ設定メニュー画面）を示す図である。
【図７】設定画面の一例（高度設定メニュー画面）を示す図である。
【図８】設定画面の一例（キーストーン歪補正設定画面）を示す図である。
【図９】キーストーン歪補正設定画面に撮像結果を反映させた場合の一例を示す図である。
【図１０】画像イメージの形状変更操作を示す図である。
【図１１】画像イメージの形状変更操作を示す図である。
【図１２】キーストーン歪補正設定画面にエラー情報ボックスを表示させた場合の一例を示す図である。
【符号の説明】
【００８６】
１０…プロジェクタ  ４０…リモコン  ４２…ＣＣＤカメラ  ５２…情報入力装置  ６７…マウス  ８１，８２，８３，８４…頂点マーク  Ｄ…設定画面  Ｇ…投影画像  ＧＡ…画像イメージ  Ｋ…カーソル  ＬＬ，ＬＤ，ＬＲ，ＬＵ…画像イメージの辺  ＮＷ…ネットワーク回線  ＰＣ…コンピュータ  ＳＣ…スクリーン  ＳＹ…画像投影システム
【図１】
0005386828.tif 000002
【図２】
0005386828.tif 000003
【図３】
0005386828.tif 000004
【図４】
0005386828.tif 000005
【図５】
0005386828.tif 000006
【図６】
0005386828.tif 000007
【図７】
0005386828.tif 000008
【図８】
0005386828.tif 000009
【図９】
0005386828.tif 000010
【図１０】
0005386828.tif 000011
【図１１】
0005386828.tif 000012
【図１２】
0005386828.tif 000013